(57)【要約】【課題】車両の振動が大きくなっても、本体部を車両に対してガタ付きのない状態で装着することが可能な車両用コネクタ接続部品を提供することを目的とする。【解決手段】車両に設けられた接続端子を包囲して前記車両に装着可能な本体部と、前記本体部に設けられ、前記車両に設けられた装着孔部に係止可能な本体係止片と、を備え、前記本体係止片は、前記本体部の本体胴部の側面に対して幅方向及び幅方向に直交する高さ方向に弾性変形可能であり、前記装着孔部に対して、蓋本体部の幅方向の位置決めをする幅方向爪部と、前記蓋本体部の高さ方向の位置決めをする高さ方向爪部とを有することを特徴とする車両用コネクタ接続部品。【選択図】  図３
2018195594.tif 000002
【特許請求の範囲】
【請求項１】
車両に設けられた接続端子を包囲して前記車両に装着可能な本体部と、
前記本体部に設けられ、前記車両に設けられた装着孔部に係止可能な本体係止片と、を備え、
前記本体係止片は、前記本体部の本体胴部の側面に対して幅方向及び幅方向に直交する高さ方向に弾性変形可能であり、前記装着孔部に対して、蓋本体部の幅方向の位置決めをする幅方向爪部と、前記蓋本体部の高さ方向の位置決めをする高さ方向爪部とを有する
ことを特徴とする車両用コネクタ接続部品。
【請求項２】
前記本体部に装着されて開閉自在であり前記接続端子を露出可能な蓋部をさらに備え、
前記蓋部は、その裏面の一端側から突出し前記本体部の一端側に設けられたヒンジ孔部に突出入自在に挿通されて屈曲可能なヒンジ部を有し、該ヒンジ部を介して前記蓋部が開閉可能に設けられ、
前記蓋部の前記裏面の他端側には、前記蓋部の幅方向両側から突出して前記本体部の他端側の幅方向両側に設けられた係止孔部に係止可能な一対の蓋係止片が設けられる、
ことを特徴とする請求項１に記載の車両用コネクタ接続部品。
【請求項３】
前記ヒンジ部には、前記ヒンジ孔部への挿通時に弾性変形により該ヒンジ孔部を乗り越えて、前記ヒンジ孔部と係止可能な係止突起部が設けられている
ことを特徴とする請求項２に記載の車両用コネクタ接続部品。
【請求項４】
前記一対の蓋係止片の夫々の突出方向先端部には、前記係止孔部に係止可能な爪部が形成され、
前記一対の蓋係止片の夫々の突出方向中間部から根元部にかけて、前記係止孔部に係合可能な係合凸部が形成されている
ことを特徴とする請求項３に記載の車両用コネクタ接続部品。
【請求項５】
前記一対の蓋係止片の爪部の突出方向と前記係止突起部の突出方向が異なっている
ことを特徴とする請求項４に記載の車両用コネクタ接続部品。
【請求項６】
前記本体部は、前記接続端子を囲んで露出させる端子孔部を中央部に形成した平面部を備え、
前記蓋部は、前記端子孔部の開口よりも大きな面積を有して前記平面部に対向配置される前記蓋本体部を備え、
前記ヒンジ部は、前記本体部の前記平面部に対向する前記裏面の一端よりも内側位置から突出して延び、
前記蓋本体部が前記本体部の前記平面部に対向して接触した状態になると、前記蓋本体部が前記ヒンジ孔部を覆うとともに、前記ヒンジ部が前記ヒンジ孔部内に没入される
ことを特徴とする請求項２から５のいずれかに記載の車両用コネクタ接続部品。
【請求項７】
前記一対の蓋係止片の内側面は、前記蓋部が開いた状態で前記接続端子に接続されるコネクタの幅方向両端面の外側に配設されるように構成される
ことを特徴とする請求項２から６のいずれかに記載の車両用コネクタ接続部品。
【発明の詳細な説明】
【技術分野】
【０００１】
本開示は、車両に搭載される車両用コネクタ接続部品に係る。
【背景技術】
【０００２】
近年、車両の操作パネルの一部に設けられた接続端子の表面側を開閉可能な蓋部で覆うことが可能なものが提案されている（特許文献１参照）。この特許文献１に記載のものは、車両の車室内の前側に配設されたハンドルよりも車室幅方向内側に蓋部を備えた車載用電子機器が配設されている。車載用電子機器は、ＣＤやＤＶＤなどが再生可能であるとともに、携帯電話からの例えば音楽データを読み込むために、蓋部を開放し、そこに例えば、ＵＳＢコネクタが接続可能に構成されている。
【０００３】
車載用電子機器の前面には操作パネルが設けられ、この操作パネルの一部に接続端子が配設されている。この接続端子の表面側にヒンジ部を介して蓋部が開閉可能に設けられている。ヒンジ部は帯状に形成され横方向に延びる係止片を上下に２段配置して構成され、上下２段の係止片間には、係止片に沿って延びる貫通溝が形成されている。これら係止片の先端側端部は互いに接続され、係止片の基端側端部は蓋部に接続されている。これら係止片は車載用電子機器に設けられた係止孔に挿入されている。係止片及び蓋部は弾性材料で形成されている。
【０００４】
蓋部によって接続端子を覆う場合には、係止片を係止孔内に挿入するとともに、蓋部を操作パネルに押し込むことで、蓋部を操作パネルに装着可能である。一方、接続端子に、例えばＵＳＢコネクタを接続する場合には、蓋部を操作パネルから引き出すとともに、係止片を係止孔から操作パネルに設けられた抜止め片に当接するまで引き出す。従って、接続端子の前方は開放された状態となって、接続端子にＵＳＢコネクタを接続することができる。
【先行技術文献】
【特許文献】
【０００５】
【特許文献１】特開２０１３−１０３５９４号
【発明の概要】
【発明が解決しようとする課題】
【０００６】
この従来の接続端子を覆う蓋部は、係止片が接続された側と比較して、係止片が接続された側と反対側の上下寸法が大きくなるように形成されている。このため、蓋部を開いた状態時には、上下２段の接続片のうち下側の係止片は、上側の係止片よりも後方側へ変移した状態となり、蓋部は接続端子から離反する側へ附勢された状態となる。従って、車両走行時の振動によって、接続端子に接続されたＵＳＢコネクタに蓋部が衝突する頻度を小さくすることができる。
【０００７】
しかしながら、車両の走行時に発生する振動が大きくなると、附勢に抗して蓋部が接続端子側に回動してＵＳＢコネクタに蓋部が衝突する虞が生じる。従って、異音の発生を抑制することが困難になる。また、蓋部を開閉自在に支持し車両に装着される本体部が車両に対してガタを有すると、異音が発生するおそれもある。
【０００８】
上述の事情に鑑みて、本発明の少なくとも幾つかの実施形態は、車両の振動が大きくなっても、本体部を車両に対してガタ付きのない状態で装着することが可能な車両用コネクタ接続部品を提供することを目的とする。
【課題を解決するための手段】
【０００９】
本発明の幾つかの実施形態に係わる車両用コネクタ接続部品は、
車両に設けられた接続端子を包囲して前記車両に装着可能な本体部と、
前記本体部に設けられ、前記車両に設けられた装着孔部に係止可能な本体係止片と、を備え、
前記本体係止片は、前記本体部の本体胴部の側面に対して幅方向及び幅方向に直交する高さ方向に弾性変形可能であり、前記装着孔部に対して、蓋本体部の幅方向の位置決めをする幅方向爪部と、前記蓋本体部の高さ方向の位置決めをする高さ方向爪部とを有することを特徴とする。
【００１０】
上記車両用コネクタ接続部品によれば、本体部には、車両に設けられた装着孔部に係止可能な本体係止片が設けられ、本体係止片は、本体部の本体胴部の側面に対して幅方向及び幅方向に直交する高さ方向に弾性変形可能であり、装着孔部に対して、蓋本体部の幅方向の位置決めをする幅方向爪部と、蓋本体部の高さ方向の位置決めをする高さ方向爪部とを有する。このため、本体部の装着孔部への装着時には、本体係止片の幅方向爪部は、弾性変形して幅方向爪部の平面部が装着孔部の内面を附勢した状態となって装着孔部に係止される。よって、本体部を装着孔部に対してガタ付きのない状態で装着することができる。
【００１１】
また、幾つかの実施形態では、
前記本体部に装着されて開閉自在であり前記接続端子を露出可能な蓋部をさらに備え、
前記蓋部は、その裏面の一端側から突出し前記本体部の一端側に設けられたヒンジ孔部に突出入自在に挿通されて屈曲可能なヒンジ部を有し、該ヒンジ部を介して前記蓋部が開閉可能に設けられ、
前記蓋部の前記裏面の他端側には、前記蓋部の幅方向両側から突出して前記本体部の他端側の幅方向両側に設けられた係止孔部に係止可能な一対の蓋係止片が設けられる、ことを特徴とする。
【００１２】
この場合には、本体部を車両に設けられた装着孔部に対してガタ付きのない状態で装着することができる結果として、本体部に装着される蓋部のガタ付きが抑えられる。
【００１３】
また、幾つかの実施形態では、
前記ヒンジ部には、前記ヒンジ孔部への挿通時に弾性変形により該ヒンジ孔部を乗り越えて、前記ヒンジ孔部と係止可能な係止突起部が設けられているように構成される。
【００１４】
この場合、ヒンジ部には、ヒンジ孔部への挿通時に弾性変形により該ヒンジ孔部を乗り越えて、ヒンジ孔部と係止可能な係止突起部が設けられている。このため、蓋部を本体部に対して閉じた状態にするときに、係止突起部が弾性変形により孔部を乗り越えると、節度感を有してヒンジ部を孔部に係止することができる。
【００１５】
また、幾つかの実施形態では、
前記蓋部の前記裏面の他端側には、前記蓋部の幅方向両側から突出して前記本体部の他端側の幅方向両側に設けられた係止孔部に係止可能な一対の蓋係止片が設けられ、前記一対の蓋係止片の夫々の突出方向先端部には、前記係止孔部に係止可能な爪部が形成され、
前記一対の蓋係止片の夫々の突出方向中間部から根元部にかけて、前記係止孔部に係合可能な係合凸部が形成されているように構成される。
【００１６】
この場合には、一対の蓋係止片の夫々の突出方向先端部には、係止孔部に係止可能な爪部が形成され、一対の蓋係止片の夫々の突出方向中間部から根元部にかけて、係止孔部に係合可能な係合凸部が形成されている。このため、蓋部を本体部に対して閉じた状態にするときに、係止孔部に挿入された爪部の係止孔部への係止時に、係合凸部が弾性変形しながら係止孔部内に挿入されることで、節度感を有して一対の蓋係止片を係止孔部に係止することができる。
【００１７】
また、幾つかの実施形態では、
前記一対の蓋係止片の爪部の突出方向と前記係止突起部の突出方向が異なっているように構成される。
【００１８】
この場合には、一対の蓋係止片の爪部の突出方向と前記係止突起部の突出方向が異なるので、蓋部を本体部に係止すると、蓋部は２つの異なる方向で係止される。このため、車両の振動に伴って蓋部が振動しても、蓋部が本体部に対してガタつく虞をより確実に規制することができる。
【００１９】
また、幾つかの実施形態では、
前記本体部は、前記接続端子を囲んで露出させる端子孔部を中央部に形成した平面部を備え、
前記蓋部は、前記端子孔部の開口よりも大きな面積を有して前記平面部に対向配置される前記蓋本体部を備え、
前記ヒンジ部は、前記本体部の前記平面部に対向する裏面の一端よりも内側位置から突出して延び、
前記蓋本体部が前記本体部の前記平面部に対向して接触した状態になると、前記蓋本体部が前記ヒンジ孔部を覆うとともに、前記ヒンジ部が前記ヒンジ孔部内に没入されるように構成される。
【００２０】
この場合、ヒンジ部は、本体部の平面部に対向する裏面の一端よりも内側位置から突出して延びている。このため、蓋本体部が本体部の平面部に対向して接触した状態になると、蓋本体部がヒンジ孔部を覆い、ヒンジ部がヒンジ孔部内に没入される。従って、ヒンジ部はヒンジ孔部内に完全に収まるとともに、ヒンジ孔部の開口も蓋本体部によって覆われるので、ヒンジ部を外部から見えなくすることができる。
【００２１】
また、幾つかの実施形態では、
前記一対の蓋係止片の内側面は、前記蓋部が開いた状態で前記接続端子に接続されるコネクタの幅方向両端面の外側に配設されるように構成される。
【００２２】
この場合には、一対の蓋係止片の内側面は、蓋部が開いた状態で接続端子に接続されるコネクタの幅方向両端面の外側に配設されるので、蓋部が開いた状態で接続端子にコネクタが接続されると、一対の蓋係止片間にコネクタが位置する。このため、車両が振動するにともなって蓋部が振動しても、蓋部の振動は一対の蓋係止片を介してコネクタに規制される。
【発明の効果】
【００２３】
本発明の少なくとも幾つかの実施形態によれば、本体部を車両に設けられた装着孔部に対してガタ付きのない状態で装着することができる。また、車両の振動が大きくなっても、コネクタに蓋部が衝突する虞を抑制可能な車両用コネクタ接続部品を提供することができる。
【図面の簡単な説明】
【００２４】
【図１】本発明の一実施形態である車両用コネクタ接続部品にＵＳＢコネクタが接続された状態の斜視図である。
【図２】蓋部が本体部に対して離反した状態にあるときの車両用コネクタ接続部品の斜視図である。
【図３】同図（ａ）は、本体部の側面図であり、同図（ｂ）は、本体部の正面図であり、同図（ｃ）は、本体部の平面図である。
【図４】図３（ｂ）のＩＩＩ−ＩＩＩ矢視に相当する本体部の断面図である。
【図５】同図（ａ）は、蓋部の正面図であり、同図（ｂ）は、蓋部が閉じた状態時にあるときの同図（ａ）のＶ−Ｖ矢視に相当する部分の断面図であり、同図（ｃ）は、蓋部が開いた状態時にあるときの同図（ａ）のＶ−Ｖ矢視に相当する部分の断面図である。
【図６】本体部を車両のパネルに設けられた装着孔部に挿着時における車両用コネクタ接続部品の平面図を示す。
【図７】同図（ａ）は、蓋部の側面図であり、同図（ｂ）は、蓋部の正面図であり、同図（ｃ）は、蓋部の平面図である。
【図８】図７（ｂ）のＶＩＩ−ＶＩＩ矢視に相当する蓋部の断面図である。
【図９】本体部に対して蓋部を閉じた状態から開いた状態に移行する過程を示した斜視図である。
【発明を実施するための形態】
【００２５】
以下、添付図面に従って本発明の車両用コネクタ接続部品の実施形態について、図１〜図９を参照しながら説明する。本実施形態では、コネクタとしてＵＳＢコネクタを例にして説明する。説明の都合上、図１の矢印方向を、上下方向、左右方向、前後方向として、以下説明する。なお、この実施形態に記載されている構成部品の材質、形状、その相対的配置、接続端子の種類等は、本発明の範囲をこれに限定する趣旨ではなく、単なる説明例にすぎない。
【００２６】
図１は、本発明の一実施形態である車両用コネクタ接続部品１にＵＳＢコネクタ８０が縦向きに接続された状態の斜視図であり、図２は、蓋部４０が本体部１０に対して離反した状態にあるときの車両用コネクタ接続部品１の斜視図である。車両用コネクタ接続部品１は、図１及び図２に示すように、車両９０に設けられた接続端子９１を包囲して車両９０に装着可能な本体部１０と、本体部１０に装着されて開閉自在であり接続端子９１を露出可能な蓋部４０と、を備えてなる。
【００２７】
蓋部４０は、ゴム状の弾性力を有するエラストマー（樹脂）などの弾性部材で成型されている。一方、本体部１０は蓋部４０に比べて硬い樹脂などで成型されており、図３（ａ）（側面図）、図３（ｂ）（正面図）、図３（ｃ）（平面図）を更に追加して説明すると、正面視において略長方形状に形成された接触板部１１と、接触板部１１の後側から延びる本体胴部２０とを有してなる。
【００２８】
本体胴部２０は、接続端子９１を覆うように角筒状に形成されて後方に開口を形成し内部が中空である。本体胴部２０の上下方向両側に前後方向に延びて形成された側面上２１及び側面下２２が設けられ、側面上２１及び側面下２２の夫々の後側端部には、本体係止片２５が形成されている。本体係止片２５は、側面上２１及び側面下２２の夫々の後側端部の左右両側に一対形成されており、少なくとも後述のヒンジ部４１の幅分よりも間隔をあけて左右両側に一対形成されている。本体係止片２５は、後側端部が側面上２１及び側面下２２の後側端部に夫々に接続され、前側端部が側面上２１及び側面下２２の夫々の前側に進むに従って側面上２１及び側面下２２から上下方向において離反する方向へ延びている。即ち、本体係止片２５は、側面上２１及び側面下２２に対して斜めに交差する方向に延びている（図４参照）。なお、本体係止片２５は、本体胴部２０の上下方向両側に形成された側面上２１及び側面下２２に設けられる必要はなく、本体胴部２０の左右に設けられた側面左２３及び側面右２４に設けられてもよい。
【００２９】
本体係止片２５は、側面上２１及び側面下２２に対して左右方向（幅方向）及び上下方向（幅方向に直交する高さ方向）に弾性変形可能であり、車両９０に設けられた装着孔部９３（図５（ｂ）参照）に対して、蓋部４０の左右方向（幅方向）の位置決めをする幅方向爪部２５ａと、蓋部４０の高さ方向の位置決めをする高さ方向爪部２５ｂとを有して形成されている。
【００３０】
高さ方向爪部２５ｂは、図３（ａ）に示すように、本体係止片２５の前側端部において外側に突出するとともに、本体係止片２５の前側端部の内側から前側へ突出する突出部２５ｂ１、高さ方向爪部２５ｂの傾斜部と突出部２５ｂ１を繋ぐ上下方向に延びる壁部２５ｂ２を有して形成されている。なお、図５（ｂ）は、図５（ａ）が示す蓋部４０が閉じた状態にあるときのＶ−Ｖ矢視に相当する部分の断面図を示している。高さ方向爪部２５ｂは、図５（ｂ）に示すように、本体胴部２０の装着孔部９３への挿入時に、高さ方向爪部２５ｂが側面上２１及び側面下２２に向かって上下方向に弾性変形し装着孔部９３の取付ガイドの役割を果たし、高さ方向爪部２５ｂの傾斜部を乗り越え、高さ方向爪部２５ｂの前端の壁部２５ｂ２が装着孔部９３の奥側端部に当接するとともに、突出部２５ｂ１が装着孔部９３の奥側端部を上下方向に附勢した状態で接触する。また、本体胴部２０の前側に形成された本体側段部２０ａが装着孔部９３の深さ方向中間部に形成された孔側段部９３ａに接触し、本体側段部２０ａと高さ方向爪部２５ｂの壁部２５ｂ２に挟まれて前後方向で装着孔部９３に固定される。このため、本体胴部２０は前後方向に位置決めされるとともに、本体係止片２５の高さ方向爪部２５ｂの突出部２５ｂ１を介して上下方向のガタを抑制することができる。
【００３１】
また、本体係止片２５の幅方向爪部２５ａは、図３（ｃ）に示すように、本体係止片２５の幅方向外側の端面に形成され、本体胴部２０の上下方向に配置された側面上２１及び側面下２２の幅方向端を超えて幅方向外側へ延びるように傾斜する傾斜面部２５ａ１と、傾斜面部２５ａ１の前側端部に繋がって本体胴部２０の左右両側に形成された側面左２３及び側面右２４に沿って略平行に延びる平面部２５ａ２とを有してなる。つまり、平面部２５ａ２は対応する側面左２３及び側面右２４の外側に位置している。本体部１０は、ＡＢＳ樹脂などで一体成型されたものであるので、本体係止片２５も弾性変形可能である。このため、本体胴部２０を装着孔部９３（図５（ｂ）参照）に装着する場合、図６（平面図）に示すように、本体係止片２５は、装着孔部９３への装着時に、幅方向爪部２５ａの傾斜面部２５ａ１が装着孔部９３の取付ガイドの役割を果たし、装着孔部９３の内側方向へ弾性変形して傾斜面部２５ａ１を乗り越え、平面部２５ａ２が装着孔部９３に接触した状態になるとともに、対応する側面上２１側及び側面下２２側へ弾性変形して、幅方向爪部２５ａの平面部２５ａ２が装着孔部９３を附勢した状態となって、本体胴部２０が装着孔部９３に装着される。よって、本体部１０は、装着孔部９３に対して左右方向に位置決めされるとともに、ガタ付きのない状態で装着される。
【００３２】
本体胴部２０の側面上２１の前側の左右方向中央部には、図９（ｂ）（斜視図）に示すように、接触板部１１に設けられたヒンジ孔部１２からヒンジ部４１が抜脱されるのを防止するための抜け止め突起２７が形成されている。抜け止め突起２７は、側面上２１から突出する抜止ピン２９と、抜止ピン２９の上端部から側面上２１の幅（左右）方向両側へ延びてヒンジ部４１の前後方向への移動を案内する案内ピン３０とを有してなる。案内ピン３０はヒンジ部４１の上面に対して隙間を有した位置に設けられている。
【００３３】
接触板部１１は、図３（ａ）、図３（ｂ）、図３（ｃ）に示すように、本体胴部２０の前側端部に形成され、本体胴部２０の周囲を超えて延びるように形成されている。接触板部１１は、正面視において、上下方向に延びる長方形状に形成され、その前面には、平面状に形成された平面部１１ａが形成されている。接触板部１１の中央部には、上下方向に延びる長方形状の孔部１１ｂが形成されている。この孔部１１ｂ内に接続端子９１（図１参照）が配置される。孔部１１ｂの形状は接続端子９１及びこれに接続されるＵＳＢコネクタ８０の外形形状に応じて設定される。
【００３４】
接触板部１１の上部には、接触板部１１の左右（短手）方向に延びる長方形状のヒンジ孔部１２が設けられている（図３（ｂ）参照）。このヒンジ孔部１２に蓋部４０に形成されたヒンジ部４１が挿通される（図１参照）。ヒンジ孔部１２が形成された接触板部１１の前面側には、ヒンジ孔部１２に連通してヒンジ孔部１２の開口よりも大きな開口を有した挿入口１２ａが形成されている。挿入口１２ａからヒンジ孔部１２に向かって先細の傾斜面が設けられ、ヒンジ部４１を挿通する際のガイドともなる。ヒンジ孔部１２の大きさは、詳細は後述するが、ヒンジ部４１の挿通を自在にするとともに、ヒンジ部４１に設けられた係止突起部４１ａ（図７（ｃ）参照）が弾性変形した状態でヒンジ孔部１２を挿通可能な大きさを有している。接触板部１１の下部の左右（短手）方向両側には、長方形状をした一対の係止孔部１４が設けられている。この係止孔部１４には、蓋部４０に設けられた蓋係止片４３（図７（ａ）参照）が挿入される。
【００３５】
蓋部４０は、図２、図７（ａ）（側面図）、図７（ｂ）（正面図）、図７（ｃ）（平面図）に示すように、本体部１０（図３（ｃ）参照）の接触板部１１に対向配置される蓋本体部４５と、蓋本体部４５の後面の上側から突出するヒンジ部４１と、蓋本体部４５の後面の下側から突出する一対の蓋係止片４３とを備えてなる。
【００３６】
蓋部４０は、弾性部材であるエラストマー（樹脂）で成型される。このため、蓋部４０は弾性変形可能である。蓋本体部４５は、正面視において、本体部１０の接触板部１１と略同一形状（長方形状）に形成され、車両用コネクタ接続部品１にＵＳＢコネクタ８０が接続されていない状態における意匠面を形成している。蓋本体部４５の下側には、前側に傾斜して蓋部４０の把持を容易にする把持部４５ａが形成されている。蓋本体部４５の後面の中央部には、蓋部４０を本体部１０に対して閉じた状態にすると、本体部１０の平面部１１ａに設けられた孔部１１ｂに嵌合可能な嵌合突出部４５ｂが設けられている。この嵌合突出部４５ｂは、孔部１１ｂと略同じ大きさの長方形状に形成されている。このため、蓋部４０を閉じると、嵌合突出部４５ｂが孔部１１ｂに嵌合されて覆うことで孔部１１ｂ内の接続端子９１（図１参照）を保護することができる。
【００３７】
ヒンジ部４１は、蓋本体部４５の後面の上端から後方側へ所定距離を有した位置において蓋本体部４５に直交し突出して左右方向へ幅を有した帯状に形成されている。ヒンジ部４１の幅方向中間部には、ヒンジ部４１の前側から後側へ延びる長孔部４１ｂが形成されている。この長孔部４１ｂに前述した抜け止め突起２７の抜止ピン２９が挿入されて（図７（ａ）参照）、ヒンジ部４１が前方に移動し長孔部４１ｂの後端部に抜止ピン２９が当接することで、ヒンジ部４１がヒンジ孔部１２から抜脱されるのを規制し（図９（ｃ）参照）、抜け止め突起２７の案内ピン３０がヒンジ部４１の上面側に延びてヒンジ部４１の移動を案内する（図９（ｂ）参照）。ヒンジ部４１の前後方向長さは、ヒンジ部４１を屈曲させて蓋部４０を開いた状態にしたときに（図１参照）、蓋本体部４５が本体部１０の接触板部１１に接触することなく、蓋本体部４５が接触板部１１に対して所定角度（例えば、９０°〜１２０°）を有して開くことが可能な大きさを有している。
【００３８】
ヒンジ部４１の厚さは接触板部１１に設けられたヒンジ孔部１２の短手方向の幅よりも小さく、またヒンジ部４１の幅方向寸法は、ヒンジ孔部１２の長手方向の幅より小さい。このため、ヒンジ部４１はヒンジ孔部１２に対して挿通自在である。また、ヒンジ部４１の前側の幅方向両側にはヒンジ孔部１２の長手方向の幅よりも広い係止突起部４１ａが設けられている。係止突起部４１ａは少なくとも後端部から前方、つまり蓋部４０に向かって左右方向に広がる形状の傾斜部分が形成されており、例えば略三角形や台形形状となっている。この係止突起部４１ａは、ヒンジ孔部１２との開閉時に弾性変形によりヒンジ孔部１２を乗り越えて、ヒンジ孔部１２との開閉時に節度感を生じさせる。つまりヒンジ部４１を挿通させる際に、接触板部１１の前面側に設けられたヒンジ孔部１２の開口よりも大きな開口を有した挿入口１２ａをまず通って、ヒンジ部４１の係止突起部４１ａが挿入口１２ａからヒンジ孔部１２に向かってテーパ形状の傾斜面をガイドとし、係止突起部４１ａがヒンジ孔部１２を乗り越えて係止されることとなる。
【００３９】
また、ヒンジ部４１は、図５（ｂ）及び図５（ｃ）に示すように、本体部１０の平面部１１ａに対向する蓋本体部４５の裏面の上端よりも内側位置から突出して前後方向に延びているので、蓋本体部４５が本体部１０の平面部１１ａに対向して非接触した状態（図５（ｃ）参照）から接触した状態（図５（ｂ）参照）になると、蓋本体部４５がヒンジ孔部１２を覆い、ヒンジ部４１がヒンジ孔部１２内に没入される。従って、ヒンジ部４１はヒンジ孔部１２内に完全に収まるとともに、ヒンジ孔部１２の開口も蓋本体部４５によって覆われるので、ヒンジ部４１を外部から見えなくすることができる。
【００４０】
蓋係止片４３は、図７（ａ）及び図７（ｂ）に示すように、蓋部４０の後面（裏面）の下側の左右両側に一対形成されている。蓋係止片４３は、後面からヒンジ部４１に並行に突出して左右方向に幅を有した帯状に形成されている。蓋係止片４３の突出方向先端部（後端部）の上面には、孔部１１ｂの短手方向の長さよりも間隔をあけて設けられた一対の係止孔部１４に係止可能な爪部４３ａが突出して形成されている。また、蓋係止片４３の下面の突出方向中間部から根元部にかけて、爪部４３ａと逆側で係止孔部１４に係合可能な係合凸部４３ｂが形成され、残る下面の突出方向中間部から突出方向先端部（爪部４３ａの逆側）は４３ａに向けて凹形状が形成され、蓋部４０を開く際に容易にしている。即ち、蓋係止片４３の上面に爪部４３ａが形成され、下面に係合凸部４３ｂが形成されており、係止孔部１４へ上下で係止されることとなる。爪部４３ａは、幅方向に設けられた係止突起部４１ａとは交差（本実施形態では直交）するように上方に向けて形成されており、蓋部４０の開閉時に節度感を生じさせ、特に蓋部４０を接触板部１１に押し込み閉じる際に、交差するように設けられた爪部４３ａと係止突起部４１ａより節度感を生じさせる。係合凸部４３ｂは、蓋係止片４３の剛性を確保するとともに蓋部４０の開閉時に節度感を生じさせる。
【００４１】
このように、本実施形態の車両用コネクタ接続部品１によれば、蓋部４０の後面の下端側には、本体部１０に設けられた係止孔部１４に係止可能な一対の蓋係止片４３が設けられ、一対の蓋係止片４３の対向する内側面は、ヒンジ部４１を屈曲させて蓋部４０が開き、ＵＳＢコネクタ８０の上方から覆う状態で孔部１１ｂ内の接続端子９１に接続されるＵＳＢコネクタ８０の幅方向両端部の外側に位置するように配設されている。このため、蓋部４０が開いた状態で接続端子９１にＵＳＢコネクタ８０が接続されると、屈曲しているヒンジ部４１が元の形状に戻ろうとする反発力により蓋部４０がＵＳＢコネクタ８０の上方から覆うとともに一対の蓋係止片４３間にＵＳＢコネクタ８０が位置する。このため、車両が振動するにともなって蓋部４０が振動しても、蓋部４０の振動は蓋部４０後面及び一対の蓋係止片４３を介してＵＳＢコネクタ８０に規制される。よって、蓋部４０がＵＳＢコネクタ８０に衝突して発生する異音を抑制することができる。
【００４２】
なお、一対の蓋係止片４３は、蓋部４０が開いた状態でＵＳＢコネクタ８０の幅方向両端部に接触するように配設されてもよい。このようにすると、蓋部４０がＵＳＢコネクタ８０に衝突して発生する異音をより抑制することができる。
【００４３】
以上、本発明の実施形態について説明したが、本発明は上記の形態に限定されるものではなく、本発明の目的を逸脱しない範囲での種々の変更が可能である。例えば、上述した各種実施形態を適宜組み合わせてもよい。
【符号の説明】
【００４４】
１  車両用コネクタ接続部品
１０  本体部
１１  接触板部
１１ａ  平面部
１１ｂ  孔部
１２  ヒンジ孔部
１２ａ  挿入口
１４  係止孔部
２０  本体胴部
２０ａ  本体側段部
２１  側面上（側面）
２２  側面下（側面）
２３  側面左
２４  側面右
２５  本体係止片
２５ａ  幅方向爪部
２５ａ１  傾斜面部
２５ａ２  平面部
２５ｂ  高さ方向爪部
２５ｂ１  突出部
２５ｂ２  壁部
２７  抜け止め突起
２９  抜止ピン
３０  案内ピン
４０  蓋部  
４１  ヒンジ部
４１ａ  係止突起部
４１ｂ  長孔部
４３  蓋係止片
４３ａ  爪部
４３ｂ  係号凸部
４５  蓋本体部
４５ａ  把持部
４５ｂ  嵌合突出部
８０  ＵＳＢコネクタ
９０  車両
９１  接続端子
９３  装着孔部
９３ａ  孔側段部
【図１】
2018195594.tif 000003
【図２】
2018195594.tif 000004
【図３】
2018195594.tif 000005
【図４】
2018195594.tif 000006
【図５】
2018195594.tif 000007
【図６】
2018195594.tif 000008
【図７】
2018195594.tif 000009
【図８】
2018195594.tif 000010
【図９】
2018195594.tif 000011